(57)【要約】【課題】複数のパーソナルコンピュータに表示される画像を１台のディスプレイ装置に同時に表示する。【解決手段】パーソナルコンピュータ２０１，２０２は、各々の識別信号を入力処理部１０１，１０２に出力する。ＣＰＵ１０４は、この識別信号を入力し、表示部１０８における第１および第２表示領域を演算し、入力処理部１０１，１０２を介して、第１及び第２表示領域をパーソナルコンピュータ２０１，２０２に通知する。  パーソナルコンピュータ２０１，２０２は、各画像が各表示領域に適合するように、解像度を変換して画像情報を出力し、各画像情報は、メモリ１０３に記憶される。  表示合成部１０５はメモリ１０３より第１画像および第２画像を取得して、第１画像を第１表示領域に、第２画像を第２表示領域に配置し、第１画像と第２画像を合成して合成画像を作成し、画像処理をおこない、出力処理部１０７を介して合成画像を表示部１０８に表示出力する。【選択図】図２
2013097158.tif 000002
【特許請求の範囲】
【請求項１】
モニタを有し、このモニタに第１画像を表示する第１パーソナルコンピュータと、モニタを有し、このモニタに第２画像を表示する第２パーソナルコンピュータとを含む、複数のパーソナルコンピュータと、
前記第１パーソナルコンピュータからの情報を入力する第１入力処理部と前記第２パーソナルコンピュータからの情報を入力する第２入力処理部とを含む複数の入力処理部と、前記第１画像にかかる情報と前記第２画像にかかる情報とを含む複数の画像情報に基づいて、複数の画像を合成して、合成画像を形成する画像合成部と、前記合成画像を出力する出力処理部と、前記出力画像を表示する表示部を有するディスプレイ装置
を備えることを特徴とする表示システム。
【請求項２】
前記ディスプレイ装置は、前記第１画像を表示する第１表示領域と前記第２画像を表示する第２表示領域とを含む各表示領域を演算する演算部を有し、
前記演算部は、前記第１入力処理部を介して第１表示領域にかかる情報を第１パーソナルコンピュータに通知し、前記第２入力処理部を介して第２表示領域にかかる情報を第２パーソナルコンピュータ通知し、各入力処理部を介して各表示領域にかかる情報を各パーソナルコンピュータに通知し、
前記第１パーソナルコンピュータは、第１表示領域にかかる情報に基づき、第１画像が第１表示領域に適合するように、第１画像の解像度を変換して、前記ディスプレイ装置に出力し、
前記第２パーソナルコンピュータは、第２表示領域にかかる情報に基づき、第２画像が第２表示領域に適合するように、第２画像の解像度を変換して、前記ディスプレイ装置に出力し、
各パーソナルコンピュータは、各表示領域にかかる情報に基づき、各画像が各表示領域に適合するように、各画像の解像度を変換して、前記ディスプレイ装置に出力する
ことを特徴とする請求項１記載の表示システム。
【請求項３】
前記ディスプレイ装置は、前記表示領域の変更を指令する操作部を有し、
前記演算部は、前記変更指令に基づき、各表示領域を再演算する
ことを特徴とする請求項２記載の表示システム。
【請求項４】
前記操作部は、各画像の表示位置を変更する第１操作部を有し、
前記演算部は、前記第１操作部による変更指令に基づき、各表示領域の位置を変更するように再演算する
ことを特徴とする請求項３記載の表示システム。
【請求項５】
前記操作部は、各画像の表示サイズを変更する第２操作部を有し、
前記演算部は、前記第２操作部による変更指令に基づき、各表示領域のサイズを変更するように再演算する
ことを特徴とする請求項３記載の表示システム。
【請求項６】
第１パーソナルコンピュータに表示される第１画像と第２パーソナルコンピュータに表示される第２画像とを含む複数の画像を１つのディスプレイ装置に表示する方法であって、
前記ディスプレイ装置の表示部における前記第１画像を表示する第１表示領域と前記第２画像を表示する第２表示領域とを含む各表示領域を演算する表示領域演算ステップと、
前記ディスプレイ装置の表示部における各表示領域を第１パーソナルコンピュータと第２パーソナルコンピュータとを含む各パーソナルコンピュータに通知する表示領域通知ステップと、
前記第１パーソナルコンピュータにより、第１画像が第１表示領域に適合するように、第１画像の解像度を変換して前記ディスプレイ装置に出力し、前記第２パーソナルコンピュータにより、第２画像が第２表示領域に適合するように、第２画像の解像度を変換して前記ディスプレイ装置に出力し、各パーソナルコンピュータにより、各画像が各表示領域に適合するように、各画像の解像度を変換して前記ディスプレイ装置に出力する画像解像度変換ステップと、
前記ディスプレイ装置に入力された第１画像と第２画像とを含む各画像が各表示領域に表示されるように各画像を配置し合成して、合成画像を形成する画像合成ステップと、
前記合成画像をディスプレイ装置に表示出力する表示出力ステップ
を備えることを特徴とする表示方法。
【請求項７】
第１パーソナルコンピュータからの第１画像情報を入力する第１入力処理部と第２パーソナルコンピュータからの第２画像情報を入力する第２入力処理部とを含む複数の入力処理部と、
前記第１画像情報と前記第２画像情報とを含む複数の画像情報に基づいて、複数の画像を合成する画像合成部と、
前記合成画像を出力する出力処理部と、
前記出力画像を表示する表示部
を有することを特徴とするディスプレイ装置。
【発明の詳細な説明】
【技術分野】
【０００１】
本発明は、パーソナルコンピュータに表示される画像を別途表示するディスプレイ装置、パーソナルコンピュータとディスプレイ装置とからなる表示システムおよび表示システムによる表示方法に関する。
【背景技術】
【０００２】
パーソナルコンピュータで作成したプレゼンテーション資料を用いて、プレゼンテーションを行うことが多い（たとえば、特許文献１）。パーソナルコンピュータとプロジェクタとを接続し、パーソナルコンピュータのモニタに表示されている画像にかかる情報をプロジェクタに出力する。プロジェクタは、この画像をスクリーンに拡大投影する。プレゼンターは、スクリーンに投影された画像を視聴者に見せながら説明をおこなう。
【０００３】
ところで、近年、ディスプレイ装置が大型化してきている。視聴者が１０人程度の会議であれば、パーソナルコンピュータとディスプレイ装置とを接続し、パーソナルコンピュータのモニタに表示されている画像をディスプレイ装置に表示してもよい。プレゼンターは、ディスプレイ装置に表示された画像を視聴者に見せながら説明をおこなう。
【先行技術文献】
【特許文献】
【０００４】
【特許文献１】特開２００２−３６８７１０号公報
【発明の概要】
【発明が解決しようとする課題】
【０００５】
従来のディスプレイ装置は、１人のプレゼンターが１台のパーソナルコンピュータを接続してプレゼンテーションをおこなうことを想定している。しかし、２人以上が、討論形式でプレゼンテーションを行うことも考えられる。その場合、あらかじめ、プレゼンター同士で協力して討論用にプレゼンテーション資料を作り直し、１台のパーソナルコンピュータに保存する。このように、事前準備に手間がかかるという問題があった。
【０００６】
また、複数の研究者が別々に実地観測を行って観測データを取得し、各人のパーソナルコンピュータに観測データを保存する場合、複数の研究者が実地観測から研究室に戻り、お互いの観測データを比較したいという要望がある。その場合、あらかじめ、１台のパーソナルコンピュータに各観測データを集めて整理し、そのパーソナルコンピュータとディスプレイ装置とを接続し、各観測データを１つのディスプレイ装置に表示する。このように、実地観測から研究室に戻った直後にお互いの観測データを比較して見られないという問題があった。
【０００７】
本発明の目的は、複数のパーソナルコンピュータに表示される各画像を同時に表示できるディスプレイ装置、このディスプレイ装置を備える表示システムおよびその方法を提供する。
【課題を解決するための手段】
【０００８】
本発明は、モニタを有し、このモニタに第１画像を表示する第１パーソナルコンピュータと、モニタを有し、このモニタに第２画像を表示する第２パーソナルコンピュータとを含む、複数のパーソナルコンピュータと、前記第１パーソナルコンピュータからの情報を入力する第１入力処理部と前記第２パーソナルコンピュータからの情報を入力する第２入力処理部とを含む複数の入力処理部と、前記第１画像にかかる情報と前記第２画像にかかる情報とを含む複数の画像情報に基づいて、複数の画像を合成して、合成画像を形成する画像合成部と、前記合成画像を出力する出力処理部と、前記出力画像を表示する表示部を有するディスプレイ装置を備えることを特徴とする表示システムである。
【０００９】
本発明は、第１パーソナルコンピュータに表示される第１画像と第２パーソナルコンピュータに表示される第２画像とを含む複数の画像を１つのディスプレイ装置に表示する方法であって、前記ディスプレイ装置の表示部における前記第１画像を表示する第１表示領域と前記第２画像を表示する第２表示領域とを含む各表示領域を演算する表示領域演算ステップと、前記ディスプレイ装置の表示部における各表示領域を第１パーソナルコンピュータと第２パーソナルコンピュータとを含む各パーソナルコンピュータに通知する表示領域通知ステップと、前記第１パーソナルコンピュータにより、第１画像が第１表示領域に適合するように、第１画像の解像度を変換して前記ディスプレイ装置に出力し、前記第２パーソナルコンピュータにより、第２画像が第２表示領域に適合するように、第２画像の解像度を変換して前記ディスプレイ装置に出力し、各パーソナルコンピュータにより、各画像が各表示領域に適合するように、各画像の解像度を変換して前記ディスプレイ装置に出力する画像解像度変換ステップと、前記ディスプレイ装置に入力された第１画像と第２画像とを含む各画像が各表示領域に表示されるように各画像を配置し合成して、合成画像を形成する画像合成ステップと、前記合成画像をディスプレイ装置に表示出力する表示出力ステップを備えることを特徴とする。
【００１０】
本発明は、第１パーソナルコンピュータからの第１画像情報を入力する第１入力処理部と第２パーソナルコンピュータからの第２画像情報を入力する第２入力処理部とを含む複数の入力処理部と、前記第１画像情報と前記第２画像情報とを含む複数の画像情報に基づいて、複数の画像を合成する画像合成部と、前記合成画像を出力する出力処理部と、前記出力画像を表示する表示部を有することを特徴とするディスプレイ装置である。
【発明の効果】
【００１１】
本発明によれば、複数のパーソナルコンピュータに表示される各画像を１台のディスプレイ装置に同時に表示できる。
【図面の簡単な説明】
【００１２】
【図１】表示システムの概略構成図である（第１実施形態）。
【図２】ディスプレイ装置の詳細構成図である。
【図３】一般的な２画像表示のタイムチャートである。
【図４】ディスプレイ装置の詳細構成図である（第２実施形態）。
【図５】領域位置変更時のタイムチャートである。
【図６】領域位置変更時の表示画面である。
【図７】領域サイズ変更時のタイムチャートである。
【図８】領域サイズ変更（第１画像拡大）時の表示画面である。
【図９】領域サイズ変更（第２画像拡大）時の表示画面である。
【発明を実施するための形態】
【００１３】
＜第１実施形態＞
〜構成〜
第１実施形態の構成について説明する。図１は、第１実施形態に係る表示システムの概略構成図である。
【００１４】
ディスプレイ装置１００は、例えばプレゼンテーション等に参加した多数の視聴者に対して画像を表示する大型のディスプレイを備えたＬＣＤ装置である。ディスプレイ装置１００は複数の入出力端子を備え、複数のパーソナルコンピュータと接続可能であるが、説明の簡略化のため、２つの入出力端子を備え、２台のパーソナルコンピュータ２０１，２０２と例えばＤ−ＳＵＢやＤＩＶケーブル等のケーブルを介して接続可能なものとする。パーソナルコンピュータ２０１，２０２はモニタを有し、各モニタには第１画像と第２画像が表示される。
【００１５】
図２は、ディスプレイ装置１００の詳細構成図である。ハード的な構成とソフト的な機能ブロックとを併せて記載している。ディスプレイ装置１００は、第１入力処理部１０１と、第２入力処理部１０２と、メモリ１０３と、ＣＰＵ１０４と、表示合成部１０５と、画像処理部１０６と、出力処理部１０７と、表示部１０８とを備えている。
【００１６】
第１入力処理部１０１は、パーソナルコンピュータ２０１から送信された画像情報や関連する情報を入力する。第２入力処理部１０２は、パーソナルコンピュータ２０２から送信された画像情報や関連する情報を入力する。
【００１７】
メモリ１０３は、入力された画像情報や関連情報を記憶する他、これらの情報に基づき表示制御をおこなうプログラムを記憶している。
【００１８】
ＣＰＵ１０４は、メモリ１０３に記憶されているプログラムを実行することにより、種々の演算処理を行う。
【００１９】
表示合成部１０５は、パーソナルコンピュータ２０１より入力された画像情報とパーソナルコンピュータ２０２より入力された画像情報とに基づき、複数の画像を合成して、１つの合成画像を形成する。
【００２０】
画像処理部１０６は、表示合成部１０５により形成された合成画像に対し、表示色やコントラスト等に関する処理を行う。
【００２１】
出力処理部１０７は、画像処理部１０６により処理された画像を、表示部１０８で認識することが可能な形式のデータに変換して出力する。
【００２２】
表示部１０８は、例えばＬＣＤパネル等の表示パネルであり、出力処理部１０７からの出力画像を画面表示する。
【００２３】
〜動作〜
次に、第１実施形態の動作について説明する。図３は、一般的な２画像表示のタイムチャートである。
【００２４】
ディスプレイ装置１００と２台のパーソナルコンピュータ２０１，２０２とが接続されると、パーソナルコンピュータ２０１，２０２は、各々の識別信号を入力処理部１０１，１０２に出力する（Ｓ０１，Ｓ０２）。
【００２５】
ＣＰＵ１０４は、この識別信号を入力し、２台のパーソナルコンピュータ２０１，２０２を認識し、表示部１０８における表示領域を演算する。たとえば、パーソナルコンピュータ２０１に表示されている第１画像とパーソナルコンピュータ２０２に表示されている第２画像とを１対１領域配置でかつ第１画像を図示左側に第２画像を図示右側に表示するように表示領域を演算する。第１画像を表示する領域を第１表示領域とし、第２画像を表示する領域を第２表示領域とする（Ｓ０３，Ｓ０４）。
【００２６】
ＣＰＵ１０４は、第１入力処理部１０１を介して、第１表示領域をパーソナルコンピュータ２０１に通知する（Ｓ１１→Ｓ１２）。
【００２７】
パーソナルコンピュータ２０１，２０２は、基本的な機能として、要求される表示領域に対応するように、画像の解像度を変換して出力する機能を有している。パーソナルコンピュータ２０１は、第１画像が第１表示領域に適合するように、第１画像の解像度を変換して画像情報を出力する（Ｓ１３）。第１画像の画像情報は、第１入力処理部１０１を介して、メモリ１０３に記憶される（Ｓ１４）。
【００２８】
同時に、ＣＰＵ１０４は、第２入力処理部１０２を介して、第２表示領域をパーソナルコンピュータ２０２に通知する（Ｓ２１→Ｓ２２）。パーソナルコンピュータ２０２は、第２画像が第２表示領域に適合するように、第２画像の解像度を変換して画像情報を出力する（Ｓ２３）。第２画像の画像情報は、第２入力処理部１０２を介して、メモリ１０３に記憶される（Ｓ２４）。
【００２９】
メモリ１０３に画像情報が記憶されると、ＣＰＵ１０４は表示合成部１０５に表示指令をおこなう（Ｓ３１）。表示合成部１０５は、表示指令を受けるとメモリ１０３に画像情報を要求し、第１画像の画像情報および第２画像の画像情報を取得する（Ｓ３２→Ｓ３３）。そして、第１画像を第１表示領域に、第２画像を第２表示領域に配置し、第１画像と第２画像を合成して合成画像情報を作成し、画像処理部１０６に出力する（Ｓ３４）。
【００３０】
画像処理部１０６は、合成画像情報にコントラスト等の情報を加味する画像処理をしたのち、出力処理部１０７に出力し、出力処理部１０７は、表示部１０８で認識することが可能な形式のデータに変換したのち、合成画像を表示部１０８に表示出力する（Ｓ３５→Ｓ３６）。
【００３１】
表示部１０８は、パーソナルコンピュータ２０１に表示されている第１画像とパーソナルコンピュータ２０２に表示されている第２画像とを１対１の領域配置でかつ第１画像を図示左側に第２画像を図示右側に表示する（図１参照）。
【００３２】
〜効果〜
第１実施形態の効果について説明する。
【００３３】
従来のディスプレイ装置は、１台のパーソナルコンピュータを接続することを想定しており、２台のパーソナルコンピュータに表示される画像を同時に表示できないため、様々な不都合があった。
【００３４】
本実施形態によれば、２台のパーソナルコンピュータに表示されている各画像を１台のディスプレイ装置に同時に表示できる。
【００３５】
これにより、たとえば、２人が討論形式のプレゼンテーションを行う場合、各人のパーソナルコンピュータに保存されたプレゼンテーション資料をそのまま用いることができる。すなわち、討論用のプレゼンテーション資料に作り直す手間を省くことができる。
【００３６】
また、たとえば、複数の研究者が別々に行った実地観測の観測データを研究室に戻ってから１台のディスプレイ装置に同時に表示することで、直ちにお互いの観測データを比較できる。すなわち、研究室に戻ってから観測データを整理するといった手間を省くことができる。
【００３７】
なお、本実施形態においては、パーソナルコンピュータ２０１，２０２が、第１画像が第１表示領域に適合するように、第２画像が第２表示領域に適合するように、各画像の解像度を変換して画像情報を出力するため、ディスプレイ装置１００が特殊な演算をしなくとも、適切に画像を表示ができる。
【００３８】
〜変形例〜
本実施形態においては、説明の簡略化のため、２台のパーソナルコンピュータに表示される画像を１台のディスプレイ装置に同時に表示する場合について説明したが、３つ以上の入出力端子と３つ以上の入力処理部を備えることにより、３台以上のパーソナルコンピュータに表示される各画像を１台のディスプレイ装置に同時に表示することもできる。
【００３９】
＜第２実施形態＞
〜構成〜
第２実施形態の構成について説明する。図４は、第２実施形態に係るディスプレイ装置１００Ａの詳細構成図である。ディスプレイ装置１００Ａは、第１実施形態の構成に操作部１０９を付加したものである。
【００４０】
操作部１０９は、オペレータの指令をディスプレイ装置１００Ａに伝えるインターフェイスである。操作部１０９は、表示領域位置変更ボタン１０９ａと第１表示領域位置拡大ボタン１０９ｂと第２表示領域位置拡大ボタン１０９ｃとを有している。
【００４１】
表示領域位置変更ボタン１０９ａが操作されると、操作部１０９は表示領域位置変更指令を出力し、ＣＰＵ１０４は指令に基づき、第１表示領域と第２表示領域との位置を変更するように再演算する。
【００４２】
第１表示領域位置拡大ボタン１０９ｂが操作されると、操作部１０９は表示領域サイズ変更指令を出力し、ＣＰＵ１０４は指令に基づき、第１表示領域のサイズを２００％となるように、第２表示領域のサイズを５０％となるように再演算する。
【００４３】
第２表示領域位置拡大ボタン１０９ｃが操作されると、操作部１０９は表示領域サイズ変更指令を出力し、ＣＰＵ１０４は指令に基づき、第１表示領域のサイズを５０％となるように、第２表示領域のサイズを２００％となるように再演算する。
【００４４】
〜動作〜
次に、第２実施形態の動作について説明する。図５は、領域位置変更時のタイムチャートである。
【００４５】
表示領域位置変更ボタン１０９ａが操作されると、操作部１０９は表示領域位置変更指令をＣＰＵ１０４に出力する（Ｓ０５）。ＣＰＵ１０４は指令に基づき、第１表示領域と第２表示領域との位置を変更するように再演算し、表示合成部１０５に変更指令をおこなう（Ｓ０６）とともに、表示合成部１０５に表示指令をおこなう（Ｓ３１）。
【００４６】
第１実施形態で示したように、メモリ１０３は第１画像の画像情報および第２画像の画像情報を記憶している（Ｓ１３，Ｓ２３）。表示合成部１０５は、表示指令を受けるとメモリ１０３に画像情報を要求し、第１画像の画像情報および第２画像の画像情報を取得する（Ｓ３２→Ｓ３３）。そして、第１画像を第１表示領域（変更後）に、第２画像を第２表示領域（変更後）に配置し、第１画像と第２画像を合成して合成画像情報を作成し、画像処理部１０６に出力する（Ｓ３４）。
【００４７】
画像処理部１０６は、合成画像情報にコントラスト等の情報を加味する画像処理をしたのち、出力処理部１０７に出力し、出力処理部１０７は、表示部１０８で認識することが可能な形式のデータに変換したのち、合成画像を表示部１０８に表示出力する（Ｓ３５→Ｓ３６）。
【００４８】
表示部１０８は、パーソナルコンピュータ２０１に表示されている第１画像とパーソナルコンピュータ２０２に表示されている第２画像とを１対１の領域配置でかつ第１画像を図示右側に第２画像を図示左側に表示する（図６参照）。
【００４９】
図７は、領域サイズ変更時のタイムチャートである。
【００５０】
第１表示領域位置拡大ボタン１０９ｂが操作されると、操作部１０９は表示領域サイズ変更指令をＣＰＵ１０４に出力する（Ｓ０７）。ＣＰＵ１０４は指令に基づき、第１表示領域のサイズを２００％となるように、第２表示領域のサイズを５０％となるように再演算し、表示合成部１０５に変更指令をおこなう（Ｓ０８）。
【００５１】
ＣＰＵ１０４は、第１入力処理部１０１を介して、第１表示領域（変更後）をパーソナルコンピュータ２０１に通知する（Ｓ１５→Ｓ１６）。
【００５２】
パーソナルコンピュータ２０１は、第１画像が第１表示領域に適合するように、第１画像の解像度を変換して画像情報を出力する（Ｓ１７）。第１画像の画像情報は、第１入力処理部１０１を介して、メモリ１０３に記憶される（Ｓ１８）。
【００５３】
同時に、ＣＰＵ１０４は、第２入力処理部１０２を介して、第２表示領域（変更後）をパーソナルコンピュータ２０２に通知する（Ｓ２５→Ｓ２６）。パーソナルコンピュータ２０２は、第２画像が第２表示領域に適合するように、第２画像の解像度を変換して画像情報を出力する（Ｓ２７）。第２画像の画像情報は、第２入力処理部１０２を介して、メモリ１０３に記憶される（Ｓ２８）。
【００５４】
メモリ１０３に画像情報が記憶されると、ＣＰＵ１０４は表示合成部１０５に表示指令をおこなう（Ｓ３１）。表示合成部１０５は、表示指令を受けるとメモリ１０３に画像情報を要求し、第１画像の画像情報および第２画像の画像情報を取得する（Ｓ３２→Ｓ３３）。そして、第１画像を第１表示領域に、第２画像を第２表示領域に配置し、第１画像と第２画像を合成して合成画像情報を作成し、画像処理部１０６に出力する（Ｓ３４）。
【００５５】
画像処理部１０６は、合成画像情報にコントラスト等の情報を加味する画像処理をしたのち、出力処理部１０７に出力し、出力処理部１０７は、表示部１０８で認識することが可能な形式のデータに変換したのち、合成画像を表示部１０８に表示出力する（Ｓ３５→Ｓ３６）。
【００５６】
表示部１０８は、パーソナルコンピュータ２０１に表示されている第１画像とパーソナルコンピュータ２０２に表示されている第２画像とを４対１の領域配置でかつ第１画像を全領域に拡大表示し、第２画像を図示右側に縮小表示する（図８参照）。
【００５７】
第２表示領域位置拡大ボタン１０９ｃが操作されると、表示部１０８は、パーソナルコンピュータ２０１に表示されている第１画像とパーソナルコンピュータ２０２に表示されている第２画像とを１対４の領域配置でかつ、第１画像を図示左側に縮小表示し、第２画像を全領域に拡大表示する（図９参照）。
【００５８】
〜効果〜
第２実施形態の効果について説明する。
【００５９】
操作部１０９を備えることにより、第１画像と第２画像の表示位置を変更することができる。これにより、たとえば、２人が討論形式のプレゼンテーションを行う場合、プレゼンターは立ち位置を変えることなく、討論相手の資料（画像）を指しながら、相手の主張の矛盾を指摘できる。また、たとえば、研究者同士がお互いの観測データを比較する場合、表示方法を変えることで視点を変え、新たな知見が得られる可能性がある。
【００６０】
操作部１０９を備えることにより、第１画像と第２画像の表示サイズを変更することができる。たとえば、２人が討論形式のプレゼンテーションを行う場合、双方の資料（画像）の表示を維持しつつ、自分の主張時には自分の資料（画像）を拡大表示し、相手の主張時には相手の資料（画像）を拡大表示する。これにより、プレゼンテーションの視聴者は主張者側の資料に注目しつつも、相手側の資料にも配慮することができ、双方の主張の違いをより深く理解できる。また、たとえば、研究者同士がお互いの観測データを比較した結果、相違点が得られた場合、双方の観測データを交互に拡大表示することにより、相違点を詳細に検討できる。
【符号の説明】
【００６１】
１００，１００Ａ    ディスプレイ装置
１０１  第１入力処理部
１０２  第２入力処理部
１０３  メモリ
１０４  ＣＰＵ
１０５  表示合成部
１０６  画像処理部
１０７  出力処理部
１０８  表示部
１０９  操作部（第２実施形態）
２０１  パーソナルコンピュータ
２０２  パーソナルコンピュータ
【図１】
2013097158.tif 000003
【図２】
2013097158.tif 000004
【図３】
2013097158.tif 000005
【図４】
2013097158.tif 000006
【図５】
2013097158.tif 000007
【図６】
2013097158.tif 000008
【図７】
2013097158.tif 000009
【図８】
2013097158.tif 000010
【図９】
2013097158.tif 000011